(57)【要約】【課題】単純な感想ではない作為的な意図が組み込まれたテキストを判別し、かかる作為的な文章が表示されてしまうことを防止することが可能な、情報処理装置、情報処理方法及びプログラムを提供すること。【解決手段】本発明に係る情報処理装置は、評価対象事象に対する評価者の意見が記載されたテキストデータと、当該テキストデータに関するメタデータとを少なくとも含むテキスト関連データ群に基づいて、評価者の意見に含まれる当該評価者の意図、及び、評価対象事象の内容に依存しない評価者の意見の特徴に関する特徴量を算出する特徴量算出部と、算出された特徴量に基づいて、テキストデータを、評価者が作為的に生成した意見が記載された作為テキストと、評価者が作為的に生成した意見を含まない非作為テキストとに分類し、評価者の意見を閲覧する閲覧者に表示するテキストデータを選択する表示テキスト選択部と、を備える。【選択図】図１
2012141837.tif 000002
【特許請求の範囲】
【請求項１】
評価対象事象に対する評価者の意見が記載されたテキストデータと、当該テキストデータに関するメタデータとを少なくとも含むテキスト関連データ群に基づいて、前記評価者の意見に含まれる当該評価者の意図、及び、前記評価対象事象の内容に依存しない前記評価者の意見の特徴に関する特徴量を算出する特徴量算出部と、
算出された前記特徴量に基づいて、前記テキストデータを、前記評価者が作為的に生成した意見が記載された作為テキストと、前記評価者が作為的に生成した意見を含まない非作為テキストとに分類し、前記評価者の意見を閲覧する閲覧者に表示する前記テキストデータを選択する表示テキスト選択部と、
を備える、情報処理装置。
【請求項２】
前記情報処理装置は、算出された前記特徴量を利用して選択された前記テキストデータ、及び、前記評価対象事象の内容に依存しない評価者の意見の特徴に基づいて生成された教師データと、算出された前記特徴量とに基づいて、前記作為テキストを分類するために用いられる分類器を生成するとともに、生成した前記分類器の管理を行う分類器管理部を更に備え、
前記表示テキスト選択部は、算出された前記特徴量に基づく前記分類器の分類結果を利用して、前記閲覧者に表示するテキストデータを選択する、請求項１に記載の情報処理装置。
【請求項３】
前記特徴量算出部は、前記評価者の意図に関する前記特徴量として、前記評価者の意見から示唆される当該評価者の感情を数値化した感情特徴量を算出する、請求項２に記載の情報処理装置。
【請求項４】
前記特徴量算出部は、前記評価対象事象の内容に依存しない評価者の意見の特徴に関する前記特徴量として、前記テキストの長さを示す文長特徴量を算出する、請求項２又は３に記載の情報処理装置。
【請求項５】
前記特徴量算出部は、前記評価対象事象の内容に依存しない評価者の意見の特徴に関する前記特徴量として、前記評価者が生成した前回の意見との時間間隔を示すタイミング特徴量を算出する、請求項２〜４のいずれか１項に記載の情報処理装置。
【請求項６】
前記特徴量算出部は、前記感情特徴量として、前記評価者の意見に含まれる肯定の度合いを示すポジティブ値と、前記評価者の意見に含まれる否定の度合いを示すネガティブ値と、を算出する、請求項３に記載の情報処理装置。
【請求項７】
前記分類器管理部は、所定数以上の前記評価者の意見が登録されている前記評価対象事象を選択し、選択した当該評価対象事象に登録されている前記評価者の意見を算出された前記特徴量の少なくとも一つに基づいて順位付けし、順位付けの結果に基づいて前記教師データを生成する、請求項２に記載の情報処理装置。
【請求項８】
前記分類器管理部は、算出された前記特徴量の少なくとも一つに基づいて全ての前記評価対象事象に関する前記評価者の意見を順位付けし、順位付けの結果に基づいて前記教師データを生成する、請求項２に記載の情報処理装置。
【請求項９】
前記表示テキスト選択部は、前記閲覧者により行われた前記情報処理装置への操作に応じて、前記閲覧者に対して表示しないように選択した前記評価者の意見を、前記閲覧者へ表示するように設定を変更する、請求項１に記載の情報処理装置。
【請求項１０】
前記表示テキスト選択部は、前記評価者以外の閲覧者により投票された当該評価者の意見に対する同意の度合いを表す投票値が所定の閾値以上となった場合に、前記閲覧者に対して表示しないように選択した前記評価者の意見を、前記閲覧者へ表示するように設定を変更する、請求項１に記載の情報処理装置。
【請求項１１】
評価対象事象に対する評価者の意見が記載されたテキストデータと、当該テキストデータに関するメタデータとを少なくとも含むテキスト関連データ群に基づいて、前記評価者の意見に含まれる当該評価者の意図、及び、前記評価対象事象の内容に依存しない前記評価者の意見の特徴に関する特徴量を算出するステップと、
算出された前記特徴量に基づいて、前記テキストデータを、前記評価者が作為的に生成した意見が記載された作為テキストと、前記評価者が作為的に生成した意見を含まない非作為テキストとに分類し、前記評価者の意見を閲覧する閲覧者に表示する前記テキストデータを選択するステップと、
を含む、情報処理方法。
【請求項１２】
コンピュータに、
評価対象事象に対する評価者の意見が記載されたテキストデータと、当該テキストデータに関するメタデータとを少なくとも含むテキスト関連データ群に基づいて、前記評価者の意見に含まれる当該評価者の意図、及び、前記評価対象事象の内容に依存しない前記評価者の意見の特徴に関する特徴量を算出する特徴量算出機能と、
算出された前記特徴量に基づいて、前記テキストデータを、前記評価者が作為的に生成した意見が記載された作為テキストと、前記評価者が作為的に生成した意見を含まない非作為テキストとに分類し、前記評価者の意見を閲覧する閲覧者に表示する前記テキストデータを選択する表示テキスト選択機能と、
を実現させるためのプログラム。
【発明の詳細な説明】
【技術分野】
【０００１】
本発明は、情報処理装置、情報処理方法及びプログラムに関する。
【背景技術】
【０００２】
近年、情報処理技術の発達に伴い、インターネット等のネットワーク上に存在するウェブサイトに対して、様々な対象に関してユーザが記述した感想がレビュー文として掲載されるようになってきている。このようなレビュー文は、他のユーザが感想の対象となっている事柄に対して行動をとる際に、有益な情報として参考にされることが多い。このようなレビュー文を効率良く収集することができれば、ユーザは、ある対象に対して行動を起こす際に、有益な情報を効率良く得ることが可能となる。
【０００３】
そのため、以下の特許文献１では、あるコンテンツに関する評判をウェブサイトから収集する方法が開示されている。
【先行技術文献】
【特許文献】
【０００４】
【特許文献１】特開２００９−１５４０７号公報
【非特許文献】
【０００５】
【非特許文献１】Ｐｅｔｅｒ  Ｔｕｒｎｅｙ，“Ｔｈｕｍｂｓ  Ｕｐ  ｏｒ  Ｔｈｕｍｂｓ  Ｄｏｗｎ？  Ｓｅｍａｎｔｉｃ  Ｏｒｉｅｎｔａｔｉｏｎ  Ａｐｐｌｉｅｄ  ｔｏ  Ｕｎｓｕｐｅｒｖｉｓｅｄ  Ｃｌａｓｓｉｆｉｃａｔｉｏｎ  ｏｆ  Ｒｅｖｉｅｗｓ”，Ｉｎ  Ｐｒｏｃｅｅｄｉｎｇｓ  ｏｆ  ＡＣＬ−０２，４０ｔｈ  Ａｎｎｕａｌ  Ｍｅｅｔｉｎｇ  ｏｆ  ｔｈｅ  Ａｓｓｏｃｉａｔｉｏｎ  ｆｏｒ  Ｃｏｍｐｕｔａｔｉｏｎａｌ  Ｌｉｎｇｕｉｓｔｉｃｓ（２００２），ｐｐ．４１７−４２４．
【発明の概要】
【発明が解決しようとする課題】
【０００６】
ところで、ある特定の動機を持ったユーザが偏ったレビュー文（以下、単にレビューともいう。）を記述してウェブサイト等に投稿することにより、レビューに単純な感想ではない意図が組み込まれてしまうという問題がある。このような作為的なレビュー文が投稿されることで、かかる投稿を閲覧したユーザは、作為的に投稿されたレビュー文により影響を受けてしまうこととなる。
【０００７】
上記特許文献１に記載されている技術では、ある話題に対して投稿されたレビューを収集して、閲覧者に全て提示してしまうため、上述のような問題に対して対応することができなかった。
【０００８】
そこで、本発明は、上記問題に鑑みてなされたものであり、本発明の目的とするところは、単純な感想ではない作為的な意図が組み込まれたテキストを判別し、かかる作為的な文章が表示されてしまうことを防止することが可能な、情報処理装置、情報処理方法及びプログラムを提供することにある。
【課題を解決するための手段】
【０００９】
上記課題を解決するために、本発明のある観点によれば、評価対象事象に対する評価者の意見が記載されたテキストデータと、当該テキストデータに関するメタデータとを少なくとも含むテキスト関連データ群に基づいて、前記評価者の意見に含まれる当該評価者の意図、及び、前記評価対象事象の内容に依存しない前記評価者の意見の特徴に関する特徴量を算出する特徴量算出部と、算出された前記特徴量に基づいて、前記テキストデータを、前記評価者が作為的に生成した意見が記載された作為テキストと、前記評価者が作為的に生成した意見を含まない非作為テキストとに分類し、前記評価者の意見を閲覧する閲覧者に表示する前記テキストデータを選択する表示テキスト選択部と、を備える情報処理装置が提供される。
【００１０】
前記情報処理装置は、算出された前記特徴量を利用して選択された前記テキストデータ、及び、前記評価対象事象の内容に依存しない評価者の意見の特徴に基づいて生成された教師データと、算出された前記特徴量とに基づいて、前記作為テキストを分類するために用いられる分類器を生成するとともに、生成した前記分類器の管理を行う分類器管理部を更に備え、前記表示テキスト選択部は、算出された前記特徴量に基づく前記分類器の分類結果を利用して、前記閲覧者に表示するテキストデータを選択することが好ましい。
【００１１】
前記特徴量算出部は、前記評価者の意図に関する前記特徴量として、前記評価者の意見から示唆される当該評価者の感情を数値化した感情特徴量を算出することが好ましい。
【００１２】
前記特徴量算出部は、前記評価対象事象の内容に依存しない評価者の意見の特徴に関する前記特徴量として、前記テキストの長さを示す文長特徴量を算出することが好ましい。
【００１３】
前記特徴量算出部は、前記評価対象事象の内容に依存しない評価者の意見の特徴に関する前記特徴量として、前記評価者が生成した前回の意見との時間間隔を示すタイミング特徴量を算出することが好ましい。
【００１４】
前記特徴量算出部は、前記感情特徴量として、前記評価者の意見に含まれる肯定の度合いを示すポジティブ値と、前記評価者の意見に含まれる否定の度合いを示すネガティブ値と、を算出することが好ましい。
【００１５】
前記分類器管理部は、所定数以上の前記評価者の意見が登録されている前記評価対象事象を選択し、選択した当該評価対象事象に登録されている前記評価者の意見を算出された前記特徴量の少なくとも一つに基づいて順位付けし、順位付けの結果に基づいて前記教師データを生成してもよい。
【００１６】
前記分類器管理部は、算出された前記特徴量の少なくとも一つに基づいて全ての前記評価対象事象に関する前記評価者の意見を順位付けし、順位付けの結果に基づいて前記教師データを生成してもよい。
【００１７】
前記表示テキスト選択部は、前記閲覧者により行われた前記情報処理装置への操作に応じて、前記閲覧者に対して表示しないように選択した前記評価者の意見を、前記閲覧者へ表示するように設定を変更してもよい。
【００１８】
前記表示テキスト選択部は、前記評価者以外の閲覧者により投票された当該評価者の意見に対する同意の度合いを表す投票値が所定の閾値以上となった場合に、前記閲覧者に対して表示しないように選択した前記評価者の意見を、前記閲覧者へ表示するように設定を変更してもよい。
【００１９】
また、上記課題を解決するために、本発明の別の観点によれば、評価対象事象に対する評価者の意見が記載されたテキストデータと、当該テキストデータに関するメタデータとを少なくとも含むテキスト関連データ群に基づいて、前記評価者の意見に含まれる当該評価者の意図、及び、前記評価対象事象の内容に依存しない前記評価者の意見の特徴に関する特徴量を算出するステップと、算出された前記特徴量に基づいて、前記テキストデータを、前記評価者が作為的に生成した意見が記載された作為テキストと、前記評価者が作為的に生成した意見を含まない非作為テキストとに分類し、前記評価者の意見を閲覧する閲覧者に表示する前記テキストデータを選択するステップと、を含む情報処理方法が提供される。
【００２０】
また、上記課題を解決するために、本発明の更に別の観点によれば、コンピュータに、評価対象事象に対する評価者の意見が記載されたテキストデータと、当該テキストデータに関するメタデータとを少なくとも含むテキスト関連データ群に基づいて、前記評価者の意見に含まれる当該評価者の意図、及び、前記評価対象事象の内容に依存しない前記評価者の意見の特徴に関する特徴量を算出する特徴量算出機能と、算出された前記特徴量に基づいて、前記テキストデータを、前記評価者が作為的に生成した意見が記載された作為テキストと、前記評価者が作為的に生成した意見を含まない非作為テキストとに分類し、前記評価者の意見を閲覧する閲覧者に表示する前記テキストデータを選択する表示テキスト選択機能と、を実現させるためのプログラムが提供される。
【発明の効果】
【００２１】
以上説明したように本発明によれば、単純な感想ではない作為的な意図が組み込まれたテキストを判別し、かかる作為的な文章が表示されてしまうことを防止することができる。
【図面の簡単な説明】
【００２２】
【図１】本発明の第１の実施形態に係る情報処理装置の構成を示したブロック図である。
【図２】同実施形態に係るテキスト関連データ群の一例を示した説明図である。
【図３】同実施形態に係る特徴量算出部で算出される特徴用の一例を示した説明図である。
【図４】同実施形態に係る情報処理装置に表示される表示画面の一例を示した説明図である。
【図５】同実施形態に係る情報処理装置に表示される表示画面の一例を示した説明図である。
【図６】同実施形態に係る情報処理方法の全体的な流れの一例を示した流れ図である。
【図７】同実施形態に係る分類器の生成処理の流れの一例を示した流れ図である。
【図８】同実施形態に係る意見の表示処理の流れの一例を示した流れ図である。
【図９】本発明の実施形態に係る情報処理装置のハードウェア構成を示したブロック図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
なお、説明は、以下の順序で行うものとする。
（１）作為的なレビュー文がユーザに与える影響について
（２）第１の実施形態
（２−１）情報処理装置の構成について
（２−２）表示画面の一例について
（２−３）情報処理方法の流れについて
（３）本発明の実施形態に係る情報処理装置のハードウェア構成について
（４）まとめ
【００２５】
（作為的なレビュー文がユーザに与える影響について）
本発明の実施形態に係る情報処理装置及び情報処理方法について説明するに先立ち、作為的なレビュー文がユーザに与える影響について、まず簡単に説明する。
【００２６】
インターネット等のネットワーク上に存在する各種のウェブサイトでは、様々な対象（例えば、各種の物品や各種のサービス等がある。以下、評価対象事象ともいう。）に対して、ユーザが記述した感想や評価がレビュー文として掲載されている。このようなレビュー文は、他のユーザが、評価対象事象に対して行動をとる際に参考にされるものとなる。
【００２７】
例えば「旅行」という対象を扱うウェブサイトでは、「ホテルＡ」に宿泊したユーザが、「ホテルＡ」の感想としてレビューを記述し、かかるレビュー文がウェブサイトに掲載されることとなる。「ホテルＡ」への宿泊を検討している他のユーザは、掲載されているレビュー文を参考にすることによって、「ホテルＡ」に宿泊するかどうかを決定することができる。
【００２８】
しかしながら、ある特定の動機を持ったユーザが偏ったレビュー文を記述して投稿することにより、レビュー文に単純な感想ではない作為的な意図が組み込まれてしまうという問題がある。以下の説明では、単純な感想ではない作為的な意図が組み込まれたレビュー文（おとりとして使われるような、いわゆるヤラセのレビュー文）を、作為レビューや作為テキストと称することとする。
【００２９】
上記の旅行に関する対象を例にとると、「ホテルＡ」の従業員が、「ホテルの宿泊客を増やしたい」という動機のもとで「ホテルＡ」を過剰に評価したレビューを投稿したり、競合している他のホテルを過剰に貶めるレビューを投稿したりすることが考えられる。このようなレビューが投稿されると、他のユーザは、純粋な「ホテルＡ」の感想ではない意図や、純粋な他のホテルの感想ではない意図により、影響を受けることとなる。
【００３０】
特に、いわゆる「ロングテール（ｌｏｎｇ  ｔａｉｌ）」という概念のテールに属するレビュー対象では、その対象を利用するユーザ数が少ないため、作為レビューの比率が大きくなり、ユーザに与える影響がより大きくなってしまう。
【００３１】
本発明者らは、以上のような問題について検討を行った結果、ユーザが信頼感を持ってレビューを参考にするために、ユーザの利用が少ない対象であっても作為レビューを除去することが可能な技術が必要であることに想到した。
【００３２】
かかる技術を実現するために、本発明者らが検討を行った結果、作為レビューを除去するための方法として、レビューを読んだユーザがレビューを評価し、その評価を参考にして作為レビューを判定するような方法にまず着目した。しかしながら、かかる方法は、大多数のユーザが着目する「ロングテール」概念の「ヘッド」に属する対象には適用可能なものの、ごく一部のユーザが着目する「ロングテール」概念の「テール」に属する対象には適用することができないことに想到した。
【００３３】
例えば、「現在話題の映画」のように多数のレビューが投稿されうる対象については多数のユーザによる評価が期待できるが、ある都市の「ホテル」に関するレビューのように投稿されるレビューの数が多数とはならない対象物については、十分な評価を期待することができず、作為レビューの正確な除去の実現が困難になる可能性がある。
【００３４】
かかる技術を実現するための別の方法として、予め人手を用いて作為レビューを抽出し、抽出した作為レビューを用いて教師データを生成したうえで、かかる教師データを用いて作為レビューとそうではないレビューとを分類する分類器を構成する手法も考えられる。しかしながら、こうした教師データはレビュー対象の領域（すなわち、評価対象事象の内容）ごとに生成することが必要であり、多くの領域や新たな領域に対応するためには、膨大なコストが必要となる。
【００３５】
例えば、映画という領域で生成した分類器は、映画特有の単語等に依存するため、映画以外の領域（例えば、ホテルという領域）に適用すると、その性能が著しく悪化するという問題がある。
【００３６】
本発明者らは、以上のような検討に基づいたうえで更なる検討を行った結果、以下で説明するような、本発明の実施形態に係る情報処理装置及び情報処理方法に想到した。
【００３７】
（第１の実施形態）
＜情報処理装置の構成について＞
まず、図１〜図３を参照しながら、本発明の第１の実施形態に係る情報処理装置の構成について、詳細に説明する。図１は、本実施形態に係る情報処理装置の構成を示したブロック図であり、図２は、本実施形態に係るテキスト関連データ群の一例を示した説明図であり、図３は、本実施形態に係る特徴量算出部で算出される特徴用の一例を示した説明図である。
【００３８】
本実施形態に係る情報処理装置１０は、図１に例示したように、テキスト関連データ群取得部１０１と、特徴量算出部１０３と、分類器管理部１０５と、表示テキスト選択部１０７と、表示制御部１０９と、通信制御部１１１と、記憶部１１３と、を主に備える。
【００３９】
テキスト関連データ群取得部１０１は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により実現される。テキスト関連データ群取得部１０１は、評価対象事象に対する評価者の意見が記載されたテキストデータと、当該テキストデータに関するメタデータとを少なくとも含むテキスト関連データ群を取得する。
【００４０】
テキスト関連データ群取得部１０１は、かかるテキスト関連データ群を、後述する通信制御部１１１を介して、ホームネットワークやインターネット等の各種ネットワーク３上に存在する情報処理装置や情報管理サーバ等から取得することが可能である。また、テキスト関連データ群取得部１０１は、テキスト関連データ群を、各種のケーブルや無線通信等を介して情報処理装置１０に直接接続された各種の装置から取得することも可能である。また、本実施形態に係る情報処理装置１０そのものが、かかるテキスト関連データ群を管理するテキスト関連データ群管理機能を有する装置（例えば情報管理サーバ等）である場合には、テキスト関連データ群取得部１０１は、自装置内の所定の箇所（例えば、記憶部１１３内の所定の格納領域）に格納されているテキスト関連データ群を取得することも可能である。
【００４１】
図２は、テキスト関連データ群取得部１０１が取得するテキスト関連データ群の一例を示した説明図である。図２に示したように、テキスト関連データ群には、評価者によって作成されたレビュー文に対応するテキストデータや、かかるテキストデータに関するメタデータが含まれている。テキストデータに関するメタデータの例として、図２に示したように、評価者（すなわち、レビュー文の投稿者）に関する情報や、レビュー文が投稿された日時に関する情報や、レビュー文に同意するユーザ数を示した値である投票数に関する情報等を挙げることができる。また、テキストデータに関するメタデータは、上記の例に限定されるわけではなく、上記のもの以外にも、例えば、投稿ユーザのレビュー文投稿履歴に関する情報や、投票数の増加履歴に関する情報等の各種情報を挙げることができる。
【００４２】
なお、図２に示した例では、テキストデータの本体と、テキストデータに関するメタデータとが、同一のテーブル内に記載されている状態で図示しているが、テキストデータの本体とメタデータとは、同一のデータ内に存在していてもよく、それぞれが異なるデータとして存在していてもよい。
【００４３】
テキスト関連データ群取得部１０１は、取得したテキスト関連データ群を、後述する特徴量算出部１０３に出力する。また、テキスト関連データ群取得部１０１は、取得したテキスト関連データ群を、後述する表示テキスト選択部１０７に出力してもよい。
【００４４】
また、テキスト関連データ群取得部１０１は、取得したテキスト関連データ群に、当該データ群を取得した日時等に関する時刻情報を関連付けて、後述する記憶部１１３に履歴情報として記録してもよい。
【００４５】
特徴量算出部１０３は、例えば、ＣＰＵ、ＲＯＭ、ＲＡＭ等により実現される。特徴量算出部１０３は、テキスト関連データ群に基づいて、（ｉ）評価者（すなわちレビュー文の寄稿者）の意見に含まれる評価者の意図、及び、（ｉｉ）評価対象事象の内容に依存しない評価者の意見（テキスト）の特徴、に関する特徴量を算出する。
【００４６】
ここで、本実施形態に係る特徴量算出部１０３は、レビュー文中に含まれる単語の出現頻度を特徴量として算出しない。単語の出現頻度を考慮する際に着目する単語は、評価対象領域（評価する対象物）の内容に大きく依存するものであり、作為テキストを判断する際の特徴量としてこのような特徴量を利用してしまうと、多くの領域（又は、新規の領域）にも適用可能な特徴量とすることができないからである。
【００４７】
本実施形態に係る特徴量算出部１０３は、評価対象事象の内容を特徴づける特徴量を算出するのではなく、意見に含まれる評価者の意図と、内容には依存しておらず、意見を特徴づけるものと、を組み合わせて特徴量とする。このような特徴量を用いることで、多くの領域（評価対象事象）や新たな領域にも、特徴量の算出方法を大幅に変更することなく、容易に適用が可能となる。
【００４８】
ここで、評価者の意図に関する特徴量として、評価者の意見から示唆される当該評価者の感情を数値化した感情特徴量を挙げることができる。この感情特徴量には、評価者の意見に含まれる肯定の度合いを示すポジティブ値と、評価者の意見に含まれる否定の度合いを示すネガティブ値とが含まれる。
【００４９】
ポジティブ値は、その文書を読んだユーザが、ポジティブな印象を受ける度合いが大きいほど大きな値になる感情特徴量である。逆に、ネガティブ値は、その文書を読んだユーザがネガティブな印象を受ける度合いが大きいほど大きな値になる感情特徴量である。
【００５０】
本実施形態で着目する作為テキスト（作為レビュー）は、文章を参照したユーザに意図的（作為的）にポジティブな印象あるいはネガティブな印象を与えることが目的であるため、これらの値に偏りを持つこととなる。また、これらの値は、レビュー文の感情的な度合いを示すため、レビュー対象の領域に依存するものではない。
【００５１】
本実施形態に係る特徴量算出部は、ある文書に対して、ポジティブ値及びネガティブ値を算出する公知の技術を利用して、テキスト関連データ群に含まれる各レビュー文に対してポジティブ値及びネガティブ値を算出する。かかる技術は、特に限定されるものではないが、例えば、上記非特許文献１に記載された技術を用いることが可能である。
【００５２】
また、本実施形態に係る特徴量算出部１０３は、評価対象事象の内容に依存しない評価者の意見（テキスト）の特徴に関する特徴量を算出する。かかる特徴量として、例えば、レビュー文の長さと、レビュー文が再投稿されたタイミングを挙げることができる。
【００５３】
ここで、特徴量算出部１０３が算出するレビューの長さは、例えばレビューの単語数とする。長さ（単語数）の短いレビュー文は、作為レビューである場合が多いため、かかる特徴量に着目することで、評価対象事象の内容にかかわらず効率良く作為レビューの抽出を行うことが可能となる。
【００５４】
また、レビュー文が再投稿されたタイミングとは、あるユーザが前回投稿したレビュー文と今回投稿したレビュー文との時間間隔である。どのユーザがいつレビュー文を投稿したかについては、テキスト関連データ群に含まれるメタデータを参照することで特定することができる。再投稿タイミング（投稿間隔）が短い場合には、機械的に書かれた文章である可能性が高いため、作為レビューである場合が多い。従って、かかる特徴量に着目することで、評価対象事象の内容にかかわらず効率良く作為レビューの抽出を行うことが可能となる。
【００５５】
なお、特徴量算出部１０３は、かかるタイミングに関する特徴量を常に算出するようにしてもよく、投稿間隔が一日未満の場合だけタイミングに関する特徴量を算出するものとし、投稿間隔が一日以上の場合は一定値を算出するようにしてもよい。
【００５６】
以上説明したような特徴量は、本実施形態に係る特徴量算出部１０３が算出する特徴量の主たるものであって、これらの特徴量以外にも様々な特徴量を算出することができる。例えば、本実施形態に係る特徴量算出部１０３は、レビュー文が投稿された時刻を特徴量として利用することも可能であり、レビュー文の内容に対して同意した参照ユーザの数を示す投票数の増加の割合や増加速度を特徴量としてもよい。
【００５７】
本実施形態に係る特徴量算出部１０３は、以上説明したような特徴量を算出すると、算出した特徴量を、後述する分類器管理部１０５及び表示テキスト選択部１０７に出力する。また、特徴量算出部１０３は、算出した特徴量を表すデータに、当該特徴量を算出した日時等に関する時刻情報を関連付けて、履歴情報として後述する記憶部１１３に格納してもよい。
【００５８】
なお、本実施形態に係る特徴量算出部１０３は、上述のような特徴量を算出するために、更に、形態素解析機能、構文解析機能及び意味解析機能といった各種の言語認識機能と、これら解析機能に利用される各種の辞書ファイル等を有していてもよい。
【００５９】
分類器管理部１０５は、例えば、ＣＰＵ、ＲＯＭ、ＲＡＭ等により実現される。分類器管理部１０５は、（１ａ）算出された特徴量を利用して選択されたテキストデータ、及び、（１ｂ）評価対象事象の内容に依存しない評価者の意見の特徴に基づいて生成された教師データと、（２）算出された特徴量と、に基づいて、作為テキストを分類するために用いられる分類器を生成するとともに、生成した分類器の管理を行う。
【００６０】
分類器管理部１０５は、まず、算出された特徴量を利用して選択されたテキストデータと、評価対象事象の内容に依存しない評価者の意見の特徴を表す特徴量に基づいて、いわゆる教師データを生成する。
【００６１】
教師データの生成には、各種の方法を利用することが可能であるが、例えば以下のような方法で、教師データを生成することができる。
【００６２】
例えば、分類器管理部１０５は、所定数以上のレビュー文が登録されている評価対象事象を選択し、選択した評価対象事象に登録されているレビュー文を、算出された特徴量の少なくとも一つに基づいて順位付けを行う。その後、分類器管理部１０５は、順位付けの結果に基づいて教師データを生成することができる。
【００６３】
先に説明したように、あまりにポジティブ値が高くネガティブ値が低いレビューは意図的である（すなわち、作為レビューである）と考えることができる。同様に、あまりにポジティブ値が低くネガティブ値が高いレビューについても意図的である（すなわち、作為レビューである）と考えることができる。
【００６４】
そこで、分類器管理部１０５は、所定数（例えば、５つ以上）のレビュー文が投稿されているレビュー対象について、ポジティブ値が最大であるレビュー文と、ネガティブ値が最大であるレビュー文と、を作為レビューであると判断する。また、分類器管理部１０５は、所定数（例えば、５つ以上）のレビュー文が投稿されているレビュー対象について、上記以外のレビュー文を、作為レビューではないレビュー文（すなわち、非作為レビュー・非作為テキスト）であると判断する。
【００６５】
分類器管理部１０５は、これら２種類のレビュー（作為レビュー及び非作為レビュー）を分類するように、算出した特徴量を利用して分類機を生成する。ここで、ポジティブ値及びネガティブ値以外の特徴量を利用するのは、レビューの長さとタイミングも作為レビューの手がかりとなりうるからである。
【００６６】
分類器管理部１０５は、分類器の学習・予測に、いわゆる機械学習の分野における公知の技術を適用可能であるが、例えば、サポートベクターマシン（Ｓｕｐｐｏｒｔ  Ｖｅｃｔｏｒ  Ｍａｃｈｉｎｅ）を利用する。
【００６７】
このようにして生成した分類器を利用することで、所定数未満（例えば、５つ未満）のレビューが投稿されているレビュー対象に関するレビュー文であっても、作為レビューか否かを判断することが可能となる。こうすることによって、本実施形態に係る情報処理装置１０では、いわゆる「ロングテール」のテールに対応するレビュー文についても、作為レビューか否かを判断することができる。また、かかる分類器は、レビュー対象の領域に依存しないものであるため、新規の領域のレビュー文に対しても、作為レビューを精度よく抽出することが可能となる。
【００６８】
また、レビュー文が増えると、教師データも増えることとなる。そのため、分類器管理部１０５は、所定のタイミングで分類器を再学習させるような管理処理を行うことが好ましい。これにより、分類器の精度を更に向上させることが可能となる。また、後述するような表示テキストの選択処理結果に基づいて、分類器を再学習させることも可能である。
【００６９】
なお、分類器管理部１０５は、算出された特徴量の少なくとも一つに基づいて全ての評価対象事象に関するレビュー文を順位付けし、順位付けの結果に基づいて教師データを生成してもよい。
【００７０】
分類器管理部１０５は、以上説明したようにして生成及び管理を行っている各種の分類器に対応するプログラムやデータ群等を、後述する記憶部１１３に格納してもよい。
【００７１】
分類器管理部１０５は、以上説明したような分類器を利用して、後述する表示テキスト選択部１０７からの要請により、テキスト関連データ群及び算出された特徴量に基づいて、ある評価対象事象に関して投稿されているレビュー文の分類を行うことができる。分類器管理部１０５は、あるテキスト関連データ群について、レビュー文の分類処理が終了すると、得られた分類結果を、表示テキスト選択部１０７に出力する。
【００７２】
表示テキスト選択部１０７は、例えば、ＣＰＵ、ＲＯＭ、ＲＡＭ等により実現される。表示テキスト選択部１０７は、算出された特徴量に基づいて、テキストデータを、作為テキストと非作為テキストとに分類し、閲覧者に表示するテキストデータを選択する。
【００７３】
本実施形態に係る表示テキスト選択部１０７は、より詳細には、算出された特徴量に基づく分類器の分類結果を利用して、閲覧者に表示するテキストデータを選択する。具体的には、表示テキスト選択部１０７は、分類器管理部１０５から出力された分類結果を参照して、非作為テキストに分類されているレビュー文を特定し、非作為テキストに分類されているレビュー文を、レビュー文をユーザに提示するための初期表示画面に表示するレビュー文として選択する。その後、表示テキスト選択部１０７は、レビュー文の選択結果を示すデータを表示制御部１０９に出力する。
【００７４】
これにより、以下で説明する表示制御部１０９では、非作為レビューと判断されたレビュー文を初期表示画面に表示させることが可能となる。
【００７５】
なお、表示テキスト選択部１０７は、レビュー文の選択結果を示すデータを、後述する通信制御部１１１を介して、情報処理装置１０の外部に設けられた装置に提供することも可能である。
【００７６】
表示制御部１０９は、例えば、ＣＰＵ、ＲＯＭ、ＲＡＭ等により実現される。表示制御部１０９は、本実施形態に係る情報処理装置１０が備えるディスプレイ等の表示装置に表示される表示画面の制御を行う。また、表示制御部１０９は、情報処理装置１０が備えるキーボード、マウス、タッチパネル等の入力装置に入力されるユーザ操作に対応するユーザ操作情報等に応じて、表示画面に表示されている内容を変更する。
【００７７】
具体的には、表示制御部１０９は、マウスポインタ等の位置指定オブジェクトが表示されている位置（表示画面における位置）や、当該位置指定オブジェクトにより選択された領域（表示画面における領域）等を特定することが可能である。
【００７８】
また、表示画面に表示されている各種のオブジェクト（例えば、各種処理を実施するためのアイコンやスライドバー等）が位置指定オブジェクト等により選択されたり、ドラッグ処理等の各種操作がなされたりした場合に、表示制御部１０９は、ユーザ操作情報に基づいて、どのオブジェクトが選択されたり操作されたりしたのかを特定することができる。
【００７９】
これにより、表示制御部１０９は、上述のようなユーザ操作により、ある評価対象事象に関するレビュー文を閲覧するための閲覧開始アイコン等のオブジェクトが操作されると、かかる操作がなされたことを特定して、表示テキスト選択部１０７が選択したテキストの表示を開始する。
【００８０】
また、表示制御部１０９は、表示画面内に表示している各種機能を実現するためのアイコン等のオブジェクトが操作されると、操作されたオブジェクトがどれであるかを特定して、操作されたオブジェクトに対応する機能を実現可能な処理部に対して、処理の開始を要請する。
【００８１】
なお、表示制御部１０９は、情報処理装置１０の表示画面に表示する内容として、記憶部１１３等に格納されている各種の情報や、ネットワーク３を介して取得した各種の情報等を利用することが可能である。
【００８２】
通信制御部１１１は、例えば、ＣＰＵ、ＲＯＭ、ＲＡＭ、通信装置等により実現される。通信制御部１１１は、本実施形態に係る情報処理装置１０と、情報処理装置１０の外部に設けられた装置との間で相互に行われる通信の制御を行う。情報処理装置１０の外部に設けられた装置は、各種のケーブルや無線通信等により情報処理装置１０に直接接続された装置であってもよく、ホームネットワークやインターネット等の各種のネットワーク３上に接続された、各種の情報処理装置や情報管理サーバ等であってもよい。
【００８３】
記憶部１１３は、本実施形態に係る情報処理装置１０が備えるストレージ装置の一例である。記憶部１１３には、分類器管理部１０５が生成・管理している各種の分類器に対応するプログラムやデータ群等が格納される。また、記憶部１１３には、テキスト関連データ群取得部１０１が取得した各種のテキスト関連データ群や、特徴量算出部１０３が算出した特徴量等が格納されてもよい。また、記憶部１１３には、テキスト関連データ群の取得履歴、特徴量の算出履歴、分類器の更新（再学習）履歴など、各種の履歴情報が記録されていてもよい。さらに、記憶部１１３には、本実施形態に係る情報処理装置１０が、何らかの処理を行う際に保存する必要が生じた様々なパラメータや処理の途中経過等、または、各種のデータベースやプログラム等が、適宜記録される。この記憶部１１３は、本実施形態に係る情報処理装置１０が備える各処理部が自由に読み書きを行うことが可能である。
【００８４】
以上、本実施形態に係る情報処理装置１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００８５】
なお、上述のような本実施形態に係る情報処理装置の各機能を実現するためのコンピュータプログラムを作製し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００８６】
＜表示画面の一例について＞
次に、図４及び図５を参照しながら、本実施形態に係る情報処理装置１０が備えるディスプレイ等の表示装置に表示される表示画面の一例について、具体的に説明する。なお、以下の例では、情報処理装置１０が備える表示装置に各種情報が表示される場合について説明を行うが、情報処理装置１０の外部に設けられた表示装置についても、同様の表示画面が表示されるものとする。
【００８７】
なお、以下の説明では、情報処理装置１０が図２に示した「ホテルＡ」に関するテキスト関連データ群を取得し、図３に示した特徴量を算出した場合について説明する。なお、以下の説明では、一つの表示画面内に表示されるレビュー文の最大数は、３であるものとするが、一画面内に表示される最大レビュー数は、かかる場合に限定されるわけではない。
【００８８】
ある評価対象事象に関するレビュー文の閲覧を開始する操作が行われると、例えば図４に示したような初期画面が表示制御部１０９により表示される。表示制御部１０９は、かかる初期画面として、表示画面２０１内に、表示を行っている評価対象事象を表示する評価対象事象表示領域２０３と、かかる評価対象事象に関するレビュー文のうち、表示テキスト選択部１０７により選択されたレビュー文に関する各種メタデータ等が表示されるメタデータ表示領域２０５とを生成する。また、表示制御部１０９は、レビュー文自体の表示が許可されているレビュー文が存在する場合には、かかるレビュー文に対して、レビュー文の内容が表示される文章表示領域２０７を生成する。
【００８９】
また、メタデータ表示領域２０５の内部には、レビュー文の内容に同意したユーザ数が表示されるとともに、寄稿者以外のユーザがレビュー文の内容に同意した旨を投票するための投票ボタン２０９が設けられる。また、レビュー文の内容の表示が許可されていないレビュー文に対しては、ユーザがレビュー文の表示を手動で指示するための表示ボタン２１１が設けられる。
【００９０】
図２及び図３に示したテキスト関連データ群の場合、最も新しいレビュー文から順に、上から３番目までのレビュー文が表示される可能性があるが、ユーザ「ｓａｂｕｒｏ」が記述した文章は、ｎｅｇａｔｉｖｅ値が最大となったレビュー文であるため、作為テキストと判断されて表示されていない。また、ユーザ「ｊｉｒｏ」が記述した文章は、分類器管理部１０５により生成された分類器により作為テキストと判断されたために、レビュー文の内容自体は表示されていないものとする。
【００９１】
かかる場合、非作為テキストに該当するレビュー文は、ユーザ「ｔａｒｏ」が記述した文章であるため、ユーザ「ｔａｒｏ」が記述したレビュー文の内容が、文章表示領域２０７内に表示されている。
【００９２】
ここで、他のユーザが操作した投票ボタン２０９により、ユーザ「ｊｉｒｏ」のレビュー文に対する投票数が所定の投票数を超えたものとする。かかる場合には、図５に示したように、ユーザ「ｊｉｒｏ」が記述した文章を表示するための文章表示領域２０７が新たに設けられ、ユーザ「ｊｉｒｏ」が記載したレビュー文の内容が新たに表示されることとなる。
【００９３】
なお、本実施形態に係る表示画面が上述の例に限定されるわけではなく、他の表示態様についても、適宜実施することが可能である。
【００９４】
例えば、ユーザがレビュー表示モードを選択できるようにすることが可能である。上記例では、最大ポジティブ値及び最大ネガティブ値を有するレビュー文を表示しない場合について説明したが、その他にも、（ａ）すべてのレビュー文を表示する、（ｂ）ポジティブ値が高いレビュー文のみを表示する、（ｃ）ネガティブ値の高いレビュー文のみを表示する、等の表示モードをユーザが選択可能なようにしてもよい。また、例えば友人として登録しているユーザのレビュー文は無条件で表示するなどの表示モードをユーザが選択可能なようにしてもよい。
【００９５】
また、表示制御部１０９は、ポジティブ値又はネガティブ値の偏りが大きいレビュー文を表示画面２０１の下方に表示されるように表示制御を行ってもよい。かかる表示方法を行うことによって、作為テキストの可能性の高いレビュー文が、ユーザの目に入りにくくなるという効果を得ることができる。
【００９６】
また、表示制御部１０９は、ポジティブ値又はネガティブ値の偏りが大きいレビュー文を、他のレビュー分（すなわち、非作為テキスト）とは異なる表示方法となるように表示制御を行っても良い。かかる場合の表示例として、ポジティブ値又はネガティブ値の偏りが大きいレビュー文を文字色が薄くなるように表示させる等が考えられる。
【００９７】
＜情報処理方法の流れについて＞
続いて、図６〜図８を参照しながら、本実施形態に係る情報処理装置１０で実施される情報処理方法（より詳細には、表示テキストの選択方法及びテキストの表示制御方法）について、その流れの一例を簡単に説明する。
【００９８】
［全体的な流れについて］
まず、図６を参照しながら、本実施形態に係る情報処理方法の全体的な流れについて説明する。
【００９９】
本実施形態に係る情報処理装置１０のテキスト関連データ群取得部１０１は、生成／投稿された意見（レビュー）を含むテキスト関連データ群を、各種装置又は自装置から取得する（ステップＳ１０１）。その後、テキスト関連データ群取得部１０１は、取得したテキスト関連データ群を、特徴量算出部１０３に出力する。
【０１００】
次に、特徴量算出部１０３は、テキスト関連データ群取得部１０１からテキスト関連データ群が出力されると、テキスト関連データ群に基づいて上述のような特徴量を算出し（ステップＳ１０３）、分類器管理部１０５及び表示テキスト選択部１０７に出力する。
【０１０１】
分類器管理部１０５は、テキスト関連データ群及び特徴量に基づいて教師データを生成し、分類器の生成及び管理を実施する（ステップＳ１０５）。また、分類器管理部１０５は、表示テキスト選択部１０７からの要請に応じて、かかる分類器を利用することで取得した意見（レビュー）の中から作為テキストを特定し（ステップＳ１０７）、特定結果を表示テキスト選択部１０７に出力する。
【０１０２】
その後、表示テキスト選択部１０７は、分類器管理部１０５による作為テキストの特定結果に基づいて、閲覧者であるユーザに提示する意見（レビュー）を選択し（ステップＳ１０９）、選択結果を表示制御部１０９に出力する。
【０１０３】
続いて、表示制御部１０９は、表示テキスト選択部１０７から出力された選択結果に基づいて、選択された意見を表示画面に表示する（ステップＳ１１１）。
【０１０４】
［分類器の生成処理の流れ］
次に、図７を参照しながら、分類器管理部１０５で実施される分類器の生成処理の流れについて、簡単に説明する。
【０１０５】
分類器管理部１０５は、分類器を生成する際に、まず、所定数以上の意見（レビュー）が登録されている評価対象事象について、登録されている意見を取得する（ステップＳ１２１）。その後、分類器管理部１０５は、かかる意見に対応する特徴量を参照して、ポジティブ値が最大である意見を作為テキストであると判定する（ステップＳ１２３）。同様にして、分類器管理部１０５は、特徴量を参照することで、ネガティブ値が最大である意見を作為テキストであると判断する（ステップＳ１２５）。
【０１０６】
次に、分類器管理部１０５は、取得した意見のうち、作為テキストを一方のクラスとし、それ以外のテキストを他方のクラス（すなわち、非作為テキスト）として、教師データを生成する（ステップＳ１２７）。
【０１０７】
その後、分類器管理部１０５は、教師データと、算出された特徴量とを利用して、例えばサポートベクターマシン等のような機械学習技術に基づいて、分類器を学習させる（ステップＳ１２９）。
【０１０８】
分類器管理部１０５は、このような流れにより生成された分類器を利用して、全てのレビュー文の中から作為レビューを特定する。
【０１０９】
［テキストの表示処理の流れ］
続いて、図８を参照しながら、表示制御部１０９で実施される意見（レビュー）の表示制御処理の流れについて、簡単に説明する。
【０１１０】
表示制御部１０９は、まず、意見（レビュー）に対応するテキストデータと、分類結果（すなわち、表示テキスト選択部１０７による選択結果）とを取得する（ステップＳ１３１）。その後、表示制御部１０９は、着目しているレビュー毎に、かかるレビューが作為テキストと判定されたか否かを判断する（ステップＳ１３３）。作為テキストではないと判定されていた場合には、表示制御部１０９は、後述するステップＳ１４１を実施する。また、作為テキストであると判定されていた場合には、表示制御部１０９は、後述するステップＳ１３５を実施する。
【０１１１】
表示制御部１０９は、着目しているレビューが作為テキストであると判定されていた場合、レビューに対応するメタデータを参照して、投票数が所定数未満か否かを判断する（ステップＳ１３５）。投票数が所定数以上であった場合には、表示制御部１０９は、後述するステップＳ１４１を実施する。また、投票数が所定数未満であった場合には、表示制御部１０９は、着目している意見（レビュー）を表示画面に表示しない（ステップＳ１３７）。
【０１１２】
ここで、表示制御部１０９は、未表示の意見（レビュー）を表示させるためのユーザ操作がなされているかを判断する（ステップＳ１３９）。かかる操作がなされている場合には、表示制御部１０９は、後述するステップＳ１４１を実施する。また、かかる操作が実施されていない場合には、表示制御部１０９は、処理を終了する。
【０１１３】
他方、ステップＳ１３３において作為テキストと判定されていないと判断された場合、ステップＳ１３５において投票数が所定数以上であった場合、及び、ステップＳ１３９において未表示の意見を表示させるユーザ操作が実施されていた場合には、表示制御部１０９は、着目している意見（レビュー）を表示画面に表示する（ステップＳ１４１）。これにより、表示画面には、ユーザが着目している評価対象事象について、他のユーザが投稿したレビュー文が表示されることとなる。
【０１１４】
以上、図６〜図８を参照しながら、本実施形態に係る情報処理装置１０で実施される情報処理方法の流れの一例について、簡単に説明した。
【０１１５】
（ハードウェア構成について）
次に、図９を参照しながら、本発明の実施形態に係る情報処理装置１０のハードウェア構成について、詳細に説明する。図９は、本発明の実施形態に係る情報処理装置１０のハードウェア構成を説明するためのブロック図である。
【０１１６】
情報処理装置１０は、主に、ＣＰＵ９０１と、ＲＯＭ９０３と、ＲＡＭ９０５と、を備える。また、情報処理装置１０は、更に、ホストバス９０７と、ブリッジ９０９と、外部バス９１１と、インターフェース９１３と、入力装置９１５と、出力装置９１７と、ストレージ装置９１９と、ドライブ９２１と、接続ポート９２３と、通信装置９２５とを備える。
【０１１７】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置１０内の動作全般またはその一部を制御する。ＲＯＭ９０３は、ＣＰＵ９０１が使用するプログラムや演算パラメータ等を記憶する。ＲＡＭ９０５は、ＣＰＵ９０１が使用するプログラムや、プログラムの実行において適宜変化するパラメータ等を一次記憶する。これらはＣＰＵバス等の内部バスにより構成されるホストバス９０７により相互に接続されている。
【０１１８】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０１１９】
入力装置９１５は、例えば、マウス、キーボード、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよいし、情報処理装置１０の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。情報処理装置１０のユーザは、この入力装置９１５を操作することにより、情報処理装置１０に対して各種のデータを入力したり処理動作を指示したりすることができる。
【０１２０】
出力装置９１７は、取得した情報をユーザに対して視覚的または聴覚的に通知することが可能な装置で構成される。このような装置として、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなどがある。出力装置９１７は、例えば、情報処理装置１０が行った各種処理により得られた結果を出力する。具体的には、表示装置は、情報処理装置１０が行った各種処理により得られた結果を、テキストまたはイメージで表示する。他方、音声出力装置は、再生された音声データや音響データ等からなるオーディオ信号をアナログ信号に変換して出力する。
【０１２１】
ストレージ装置９１９は、情報処理装置１０の記憶部の一例として構成されたデータ格納用の装置である。ストレージ装置９１９は、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した各種のデータなどを格納する。
【０１２２】
ドライブ９２１は、記録媒体用リーダライタであり、情報処理装置１０に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙメディア等である。また、リムーバブル記録媒体９２７は、コンパクトフラッシュ（登録商標）（ＣｏｍｐａｃｔＦｌａｓｈ：ＣＦ）、フラッシュメモリ、または、ＳＤメモリカード（Ｓｅｃｕｒｅ  Ｄｉｇｉｔａｌ  ｍｅｍｏｒｙ  ｃａｒｄ）等であってもよい。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【０１２３】
接続ポート９２３は、機器を情報処理装置１０に直接接続するためのポートである。接続ポート９２３の一例として、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等がある。接続ポート９２３の別の例として、ＲＳ−２３２Ｃポート、光オーディオ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート等がある。この接続ポート９２３に外部接続機器９２９を接続することで、情報処理装置１０は、外部接続機器９２９から直接各種のデータを取得したり、外部接続機器９２９に各種のデータを提供したりする。
【０１２４】
通信装置９２５は、例えば、通信網９３１に接続するための通信デバイス等で構成された通信インターフェースである。通信装置９２５は、例えば、有線または無線ＬＡＮ（Ｌｏｃａｌ  Ａｒｅａ  Ｎｅｔｗｏｒｋ）、Ｂｌｕｅｔｏｏｔｈ（登録商標）、またはＷＵＳＢ（Ｗｉｒｅｌｅｓｓ  ＵＳＢ）用の通信カード等である。また、通信装置９２５は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等であってもよい。この通信装置９２５は、例えば、インターネットや他の通信機器との間で、例えばＴＣＰ／ＩＰ等の所定のプロトコルに則して信号等を送受信することができる。また、通信装置９２５に接続される通信網９３１は、有線または無線によって接続されたネットワーク等により構成され、例えば、インターネット、家庭内ＬＡＮ、赤外線通信、ラジオ波通信または衛星通信等であってもよい。
【０１２５】
以上、本発明の実施形態に係る情報処理装置１０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０１２６】
（まとめ）
以上説明したように、本発明の実施形態に係る情報処理装置１０では、ユーザがある対象の感想をレビューとして投稿するサイトにおいて、他のユーザに偏った印象を意図的に与えるための作為レビューが提示されることを避けることが可能となる。本発明の実施形態に係る情報処理装置１０では、作為レビューが提示される可能性が少ないため、レビューを読むユーザは、信頼感を持ってレビューを参考にすることが可能となり、ユーザの利便性を向上させることができる。
【０１２７】
また、本発明の実施形態に係る情報処理装置１０では、教師データを作成し、レビュー対象の領域に依存せずに作為レビューを判定するため、レビュー対象の領域が多岐に渡る場合、あるいは、一部のユーザしかレビュー対象を利用しないような、いわゆるロングテールのテールに属するような事象に着目した場合であっても、作為レビューの判定を行うことが可能である。
【０１２８】
また、本発明の実施形態に係る情報処理装置１０で提供されるユーザインターフェースによれば、作為レビューがユーザの目に入りにくいため、ユーザがレビューを安心して参考にできる。さらに、投票により作為レビューと判定されたレビューもユーザに提示されるように表示を変更することができるため、作為レビュー判定におけるエラーを訂正することができる。
【０１２９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１３０】
例えば、上記実施形態では、情報処理装置１０が分類器管理部１０５を備え、表示テキスト選択部１０７が分類器管理部１０５により生成・管理されている分類器を利用して表示するテキストを選択する場合について説明したが、本発明はかかる例に限定されない。例えば、情報処理装置１０に分類器管理部１０５を設けずに、表示テキスト選択部１０７が、特徴量算出部１０３により算出される特徴量を組み合わせた判別条件式を多数有しており、かかる判別条件式を組み合わせて利用することにより作為テキストを分類するようにしてもよい。
【符号の説明】
【０１３１】
１０    情報処理装置
１０１    テキスト関連データ群取得部
１０３    特徴量算出部
１０５    分類器管理部
１０７    表示テキスト選択部
１０９    表示制御部
１１１    通信制御部
１１３    記憶部
【図１】
2012141837.tif 000003
【図２】
2012141837.tif 000004
【図３】
2012141837.tif 000005
【図４】
2012141837.tif 000006
【図５】
2012141837.tif 000007
【図６】
2012141837.tif 000008
【図７】
2012141837.tif 000009
【図８】
2012141837.tif 000010
【図９】
2012141837.tif 000011